(57)【特許請求の範囲】
【請求項１】
戸袋内に一部が配置されるレールと、
引戸が吊り下げられると共に、前記レールを移動可能なクローザと、
戸袋内に配置されるトリガと、を備え、
前記レールの所定位置まで移動した前記クローザが前記トリガと係合することによって、引戸を戸袋内に引き込む引戸クローザーセットであって、
前記引戸クローザーセットはさらに、
戸袋の外側において前記レールに取り付けられ、戸袋内に配置される前記トリガが一体に結合されるトリガ一体プレートを備えることを特徴とする引戸クローザーセット。
【請求項２】
前記レールには、前記トリガ一体プレートを前記レールに挿入でき、かつ抜き取ることができるように、前記トリガ一体プレートを案内する案内部が形成されることを特徴とする請求項１に記載の引戸クローザーセット。
【請求項３】
前記レールは、戸袋の外側にある外側レールと、戸袋の内側にある内側レールと、を備え、
前記トリガ一体プレートは、前記外側レールと前記内側レールとの境目を跨ることを特徴とする請求項２に記載の引戸クローザーセット。
【発明の詳細な説明】
【技術分野】
【０００１】
本発明は、引戸を戸先及び戸尻の少なくとも一方向に引き込む引戸クローザーセットに関し、特に引戸が戸袋に収納される戸袋式の引戸クローザーセットに関する。
【背景技術】
【０００２】
引戸クローザーセットは、建築物の枠の上部に取り付けられるレールと、レールを移動可能なクローザと、レールの所定位置に取り付けられるトリガと、を備える（例えば特許文献１参照）。クローザには、引戸が吊り下げられる。引戸を戸先側及び／又は戸尻側の所定位置まで移動させると、クローザがトリガに係合し、クローザが作動する。クローザは、引戸を戸先及び戸尻の少なくとも一方向に引き込む。クローザが引戸を引き込む動力は、クローザの内部に設けたコイルばね等のばねの弾性力である。クローザには、引戸がゆっくりと静かに開閉するようにダンパが組み込まれる。
【先行技術文献】
【特許文献】
【０００３】
【特許文献１】特許第５２８５６７９号
【発明の概要】
【発明が解決しようとする課題】
【０００４】
引戸クローザーセットは様々な場面で使用される。例えば、ホテル、病院、住宅等では、引戸を開けたときに引戸を戸袋に収納する戸袋式の引戸があり、この戸袋式の引戸に引戸クローザーセットを使用する場合がある。この場合、引戸を戸袋内に引き込むために、トリガは戸袋内に配置される。【０００５】
しかし、トリガが戸袋内に配置されるので、施工ミスによってトリガの取付け位置が間違っていたり、トリガの取付けが斜めになったりすると、戸袋を壊さなければ、トリガの位置又は傾きを修正できないという問題がある。戸袋が壁に埋め込まれる場合、壁までも壊さなければならない。実際の施工現場では、施工ミスを避けるために、戸袋内にトリガを配置しない例も見受けられる。もちろん、戸袋内にトリガを配置しないと、引戸を戸袋内に引き込むことができなくなる。【０００６】
そこで本発明は、戸袋内に配置されるトリガの位置を戸袋の外側から調整することができる引戸クローザーセットを提供することを目的とする。
【課題を解決するための手段】
【０００７】
上記課題を解決するために、本発明の一態様は、戸袋内に一部が配置されるレールと、引戸が吊り下げられると共に、前記レールを移動可能なクローザと、戸袋内に配置されるトリガと、を備え、前記レールの所定位置まで移動した前記クローザが前記トリガと係合することによって、引戸を戸袋内に引き込む引戸クローザーセットであって、前記引戸クローザーセットはさらに、戸袋の外側において前記レールに取り付けられ、戸袋内に配置される前記トリガが一体に結合されるトリガ一体プレートを備えることを特徴とする引戸クローザーセットである。【０００８】
本発明の好ましい一態様においては、前記レールには、前記トリガ一体プレートを前記内側レールに挿入でき、かつ抜き取ることができるように、前記トリガ一体プレートを案内する案内部が形成される。【０００９】
本発明のさらに好ましい一態様においては、前記レールは、戸袋の外側にある外側レールと、戸袋の内側にある内側レールと、を備え、前記トリガ一体プレートは、前記外側レールと前記内側レールとの境目を跨る。
【発明の効果】
【００１０】
本発明の一態様によれば、戸袋内に配置されるトリガの位置を戸袋の外側から調整することができる。【００１１】
本発明の好ましい一態様によれば、戸袋内のレールでトリガ一体プレートが垂れ下がるのを防止できる。また、トリガを戸袋の外側に抜き取ることができるので、トリガの保守点検が可能になる。【００１２】
本発明のさらに好ましい一態様によれば、外側レールの中心線と内側レールの中心線を一致させる芯出し作業が容易になる。
【図面の簡単な説明】
【００１３】
【図１】本発明の一実施形態の引戸クローザーセットの斜視図
【図２】本実施形態の引戸クローザーセットの分解斜視図
【図３】外側レールの断面図（図１のIII-III線断面図）
【図４】内側レールの断面図（図１のIV-IV線断面図）
【図５】図１のIV-IV線断面図
【図６】トリガ及びトリガ一体プレートの斜視図
【図７】クローザの斜視図
【図８】引戸クローザーセットの取付け方法の工程図（図８（ａ）は、戸袋に内側レールを取り付けた状態を示し、図８（ｂ）は、内側レールにトリガ一体プレートを挿入した状態を示す）
【図９】引戸クローザーセットの取付け方法の工程図（トリガ一体プレートを外側レールに取り付ける状態）
【図１０】引戸クローザーセットを組み付けた戸袋式の引戸の断面図
【図１１】図１０の引戸クローザーセットの拡大図
【図１２】クローザの詳細図（図１２（ａ）は、クローザの平面図を示し、図１２（ｂ）は、クローザの側面図を示す）
【図１３】クローザの第一及び第二のスライダーアッシ、及びダンパーアッシの分解図（図１３（ａ）は平面図を示し、図１３（ｂ）は側面図を示す）
【発明を実施するための形態】
【００１４】
以下添付図面に基づいて、本発明の一実施形態の引戸クローザーセットを説明する。本実施形態の引戸クローザーセットは、戸袋式の引戸に組み付けられる。図１は引戸クローザーセットの斜視図を示し、図２は引戸クローザーセットの分解斜視図を示す。
【００１５】
図１に示すように、引戸１は、上部枠３に取り付けられたレール４に戸先方向及び戸尻方向に移動可能に吊り下げられる。開いたときの引戸１は、戸袋２に収納される。
【００１６】
図２に示すように、引戸クローザーセットは、レール４（外側レール４ａ，内側レール４ｂ）と、クローザ６と、トリガ（戸先側のトリガ７，戸尻側のトリガ８）と、トリガ一体プレート１０と、を備える。レール４は、戸袋２の内側にある内側レール４ｂと、戸袋２の外側にある外側レール４ａと、を備える。内側レール４ｂは、戸袋２の上部枠２ａに取り付けられる。外側レール４ａは、戸袋２の外側の上部枠３（図１参照）に取り付けられる。内側レール４ｂと外側レール４ａとの境目１１（図１参照）は、戸袋２の戸先方向の端部に位置する。
【００１７】
本実施形態のクローザ６は、引戸１を戸先及び戸尻の双方向に引き込むデュアルタイプのクローザ６である。すなわち、人手によって引戸１を戸先方向に所定位置まで移動させると、クローザ６が自動的に引戸１を閉じ位置（引戸１が縦枠に当たる位置）まで引き込む。また、人手によって引戸１を戸尻方向に所定位置まで移動させると、クローザ６が自動的に引戸１を開き位置（戸袋２内に収納された位置）まで引き込む。クローザ６には、引戸１をゆっくり静かに開閉させるためのダンパが組み込まれている。
【００１８】
本実施形態では、戸先側のトリガ７と、戸尻側のトリガ８と、が設けられる。戸先側のトリガ７は、引戸１を戸先方向に引き込むためのものである。戸尻側のトリガ８は、引戸１を戸袋２内に引き込むためのものである。戸先側のトリガ７は、外側レール４ａに配置される。戸尻側のトリガ８は、戸袋２内の内側レール４ｂに配置される。トリガ８は、トリガ一体プレート１０に一体に結合される。
【００１９】
以下に、引戸クローザーセットの各構成要素を順番に説明する。図３は、外側レール４ａの断面図を示す。外側レール４ａの断面形状は、略四角形であり、上部壁４−１、左右一対の側壁４−２、及び底壁４−３と、を備える。クローザ６は、外側レール４ａの内側に挿入される。外側レール４ａの底壁４−３には、引戸１の吊り具が貫通する開口１３が形成される。底壁４−３は、開口１３を挟んで一対の底部レール１４ａ，１４ｂを備える。底部レール１４ａ，１４ｂ上をクローザ６の走行体２４ａが走行する（図５参照）。外側レール４ａの上部壁４−１には、トリガ一体プレート１０を挿入でき、かつ抜き取ることができるように、案内部１５が形成される。案内部１５は、トリガ一体プレート１０の幅方向の両端部が挿入される一対の案内溝１５ａ，１５ｂを備える。案内溝１５ａ，１５ｂを構成する突起１６ａ，１６ｂは、外側レール４ａの内側に向かって突出し、トリガ一体プレート１０の脱落を防止する。
【００２０】
図４は、内側レール４ｂの断面図を示す。内側レール４ｂの断面形状は、外側レール４ａの断面形状と同一であり、上部壁４−１、左右一対の側壁４−２、及び底壁４−３と、を備える。内側レール４ｂの底壁４−３には、引戸１の吊り具が貫通する開口１３が形成され、開口１３を挟んでクローザ６の走行体２４ａが走行する一対の底部レール１４ａ，１４ｂが形成される。内側レール４ｂの上部壁４−１には、トリガ一体プレート１０を挿入でき、かつ抜き取ることができるように、案内部１５が形成される。案内部１５は、トリガ一体プレート１０の幅方向の両端部が挿入される一対の案内溝１５ａ，１５ｂを備える。案内溝１５ａ，１５ｂを構成する突起１６ａ，１６ｂは、内側レール４ｂの内側に向かって突出し、トリガ一体プレート１０の脱落を防止する。
【００２１】
図６は、戸尻側のトリガ８及びトリガ一体プレート１０の斜視図を示す。トリガ８は略円柱形である。トリガ８は、クローザ６に当たる本体部８ａ（図４参照）と、トリガ一体プレート１０に固定される軸部８ｂと、を備える。トリガ８の軸部８ｂをトリガ一体プレート１０の通し孔１０ａに挿入し、軸部８ｂをかしめることで、トリガ８がトリガ一体プレート１０に結合される。なお、トリガ８の軸部８ｂに雄ねじを形成し、雄ねじをトリガ一体プレート１０の通し孔１０ａにねじ込むことで、トリガ８をトリガ一体プレート１０に結合してもよい。
【００２２】
トリガ一体プレート１０は、レール４の長さ方向に細長い板状に形成される。トリガ一体プレート１０の長さ方向の一端部には、上記の通し孔１０ａが加工され、この通し孔１０ａにトリガ８が結合される。トリガ一体プレート１０の長さ方向の他端部（取付け部１０ｂ）には、複数の取付け孔１０ｃが加工される。トリガ一体プレート１０の取付け部１０ｂは、ねじ等の締結部材２１（図２参照）によって外側レール４ａに取り付けられる。トリガ一体プレート１０の大部分は、内側レール４ｂに挿入される。トリガ一体プレート１０の取付け部１０ｂは、内側レール４ｂの外に出ていて、外側レール４ａに挿入される。図６の線Ｌ１は、内側レール４ｂと外側レール４ａの境目を表す。
【００２３】
図２に示すように、外側レール４ａには、引戸１を戸先方向に引き込むための戸先側のトリガ７が取り付けられる。この戸先側のトリガ７は、通し孔が形成されたプレート２２に一体に結合される。戸先側のトリガ７は、ねじ等の締結部材２３によって外側レール４ａに固定される。
【００２４】
図２に示すように、引戸１は、戸先及び戸尻方向の端部に配置された一対の走行体２４ａ，２４ｂに吊り下げられる。各走行体２４ａ，２４ｂは、合計四個の戸車を備える。一方の走行体２４ａには、クローザ６が結合される。クローザ６，走行体２４ａ，２４ｂは、外側レール４ａ及び内側レール４ｂ内に挿入され、外側レール４ａ及び内側レール４ｂ内をスライドする。
【００２５】
図７は、走行体２４ａに結合されたクローザ６の斜視図を示す。走行体２４ａには、位置調整ユニット２５を介して引戸１が吊り下げられる。位置調整ユニット２５は、引戸１の上下方向及び幅方向の位置を調整する。クローザ６の長さ方向の端部には、戸車２６が取り付けられる。
【００２６】
クローザ６は、レール４の長さ方向に細長いベース３０と、ベース３０に長さ方向にスライド可能に組み込まれる第一のスライダーアッシ３１と、ベース３０の長さ方向にスライド可能に組み込まれる第二のスライダーアッシ３２と、第一のスライダーアッシ３１と第二のスライダーアッシ３２との間に配置されるダンパーアッシ３３と、を備える。第一のスライダーアッシ３１は、引戸１を戸尻方向に引き込む引き込み力を発生させる。第二のスライダーアッシ３２は、引戸１を戸先方向に引き込む引き込み力を発生させる。ダンパーアッシ３３は、引戸１をゆっくりかつ静かに引き込めるように制動力を発生させる。第一のスライダーアッシ３１、第二のスライダーアッシ３２、ダンパーアッシ３３の構造は後述する。クローザ６は、カバー３４で覆われる。カバー３４には、戸先側のトリガ７及び戸尻側のトリガ８を受け入れるスリット３４ａ，３４ｂが形成される。
【００２７】
図８から図１１を参照して、本実施形態の引戸クローザーセットの取付け方法を説明する。まず、図８（ａ）に示すように、戸袋２内に内側レール４ｂを取り付ける。内側レール４ｂは、戸袋２の組み立てと同時に取り付けられる。戸袋２を組み立てた後では、内側レール４ｂを取り付けることは困難である。
【００２８】
次に、トリガ８が結合されたトリガ一体プレート１０を用意する。トリガ８は、事前にトリガ一体プレート１０に結合されていてもよいし、施工現場で、トリガ一体プレート１０にかしめ固定又はねじ固定されてもよい。次に、トリガ一体プレート１０を外側レール４ａの案内部１５に挿入する。なお、この図８（ａ）では、外側レール４ａは省略されている。
【００２９】
次に、図８（ｂ）に示すように、トリガ一体プレート１０を内側レール４ｂに挿入する。このとき、トリガ一体プレート１０は、内側レール４ｂの案内部１５に案内される。
【００３０】
次に、図９に示すように、ねじ等の締結部材２７（図１０参照）によって外側レール４ａを上部枠３に取り付ける。トリガ一体プレート１０は内側レール４ｂと外側レール４ａの境目１１を跨っているので、内側レール４ｂと外側レール４ａとの芯出しがなされている。戸袋２内のトリガ８の位置を調整したら、締結部材２１によってトリガ一体プレート１０を外側レール４ａに取り付ける。次に、締結部材２３（図２参照）によって戸先側のトリガ７を外側レール４ａの所定位置に取り付ける。なお、図９では図示を省略しているが、外側レール４ａを上部枠３に取り付けるとき、予めクローザ６は外側レール４ａに挿入されている。
【００３１】
図１０及び図１１は、戸袋式の引戸１のレール４に沿った断面図を示す。図１１の拡大図に示すように、内側レール４ｂは、締結部材２８によって戸袋２の上部枠２ａに取り付けられる。外側レール４ａは、締結部材２７によって戸袋２の外側の上部枠３に取り付けられる。トリガ一体プレート１０は、締結部材２１によって外側レール４ａに取り付けられる。トリガ一体プレート１０に結合された戸尻側のトリガ８は、内側レール４ｂの所定位置に配置される。
【００３２】
本実施形態の引戸クローザーセットによれば、戸袋２内に配置されるトリガ８の位置を戸袋２の外側から調整することができるので、戸袋２を壊さなくても、トリガ８の位置を調整することができる。したがって、トリガ８の位置調整のために、戸袋２を壊さなければならないというリスクを無くすことができる。
【００３３】
また、引戸クローザーセットの組み付け後に、トリガ８、クローザ６に不具合が生じても、これらを外側レール４ａに移動させ、外側レール４ａを上部枠から取り外せば、トリガ８、クローザ６を取り出すことが可能になる。このため、トリガ８、クローザ６の保守・点検が容易になる。
【００３４】
さらに、戸袋２の外側から戸袋２内にトリガ８を配置することができるので、既存の戸袋式の引戸１に後付けで引戸クローザーセットを組み付けることもできる。
【００３５】
クローザ６の構造の一例は、以下のとおりである。図１２（ａ）は、クローザ６の平面図を示し、図１２（ｂ）は、クローザ６の側面図を示す。クローザ６は、一方向に細長く伸びるベース３０と、ベース３０の長手方向の一端部に設けられる第一のスライダーアッシ３１と、ベース３０の長手方向の他端部に設けられる第二のスライダーアッシ３２と、第一のスライダーアッシ３１と第二のスライダーアッシ３２との間に配置されるダンパーアッシ３３と、を備える。第一のスライダーアッシ３１は、引戸１を戸尻方向に引き込むためのものである。第二のスライダーアッシ３２は、引戸１を戸先方向に引き込むためのものである。ダンパーアッシ３３は、引戸１の閉開動作を制動するためのものである。図１２（ａ）及び図１２（ｂ）には、クローザ６のベース３０から第一及び第二のスライダーアッシ３１，３２、ダンパーアッシ３３を取り外した状態が示される。なお、本実施形態のクローザ６の詳細な構造は、出願人が提案した特許第５２８５６７９号に記載されている。
【００３６】
図１３は、第一及び第二のスライダーアッシ３１，３２、ダンパーアッシ３３の分解図を示す。図１３（ａ）は平面図、図１３（ｂ）は側面図である。第一のスライダーアッシ３１は、第一のスライダ４１、トリガキャッチャ４２、トリガプッシャ４３、誤動作防止カム４４を備える。トリガキャッチャ４２は、戸尻側のトリガ８を捕捉する。トリガキャッチャ４２は、トリガプッシャ４３に水平面内で回転可能に支持される。誤動作防止カム４４もトリガプッシャ４３に水平面内で回転可能に支持される。ベース３０と第一のスライダーアッシ３１との間には弾性体としての引張りコイルばね４７が架け渡される。
【００３７】
図１２（ａ）に示すように、クローザ６が作動する前には、第一のスライダーアッシ３１は、ベース３０の戸尻側の端部のロック位置にいる。トリガプッシャ４３は、第一のスライダーアッシ３１のロック位置を保持する。クローザ６が戸尻側のトリガ８に係合、すなわちトリガキャッチャ４２が戸尻側のトリガ８に当接すると、トリガキャッチャ４２が回転して、第一のスライダーアッシ３１とベース３０とのロックが外れる。そして、引張りコイルばね４７の引張り力によって、第一のスライダーアッシ３１がベース３０に対してスライドする。トリガキャッチャ４２は戸尻側のトリガ８を捕捉しているので、第一のスライダーアッシ３１はその位置を変化させることはなく、ベース３０が戸尻方向にスライドする。これにより、ベース３０に吊り下げられた引戸１が戸尻方向に引き込まれる。
【００３８】
誤動作防止カム４４は、第一のスライダーアッシ３１をロック位置に復帰させるために設けられる。誤動作により第一のスライダーアッシ３１がロック位置から外れていると、トリガキャッチャ４２が戸尻側のトリガ８を捕捉することができなくなる。このような場合でも、誤動作防止カム４４が戸尻側のトリガ８を捕捉するので、第一のスライダーアッシ３１をロック位置に復帰させることができる。
【００３９】
第二のスライダーアッシ３２は、第一のスライダーアッシ３１と同様に、第二のスライダ４１、トリガキャッチャ４２、トリガプッシャ４３、誤動作防止カム４４、引張りコイルばね４８を備える。各部品の構造は、第一のスライダーアッシ３１の各部品の構造と同一であるので、同一の符号を附してその説明を省略する。
【００４０】
図１２に示すように、ダンパーアッシ３３は、ベース３０に長手方向にスライド可能に組み込まれる。ダンパーアッシ３３は、第一のリニアダンパ３３ａと、第二のリニアダンパ３３ｂと、第一及び第二のリニアダンパ３３ａ，３３ｂが据え付けられるダンパベース３５と、を備える。第一のリニアダンパ３３ａは、第一のスライダーアッシ３１とダンパベース３５との間に架け渡される。第二のリニアダンパ３３ｂは、第二のスライダーアッシ３２とダンパベース３５との間に架け渡される。ダンパベース３５には、第一のスライダ用のダンパロック３６ａ、第二のスライダ用のダンパロック３６ｂが垂直面内で回転可能に設けられる。
【００４１】
第一のスライダーアッシ３１がベース３０に対してスライドすると、ダンパベース３５と第一のスライダーアッシ３１との間隔が縮まり、第一のリニアダンパ３３ａが制動力を発生させる。第一のスライダーアッシ３１がダンパベース３５に当接すると、第一のスライダ用のダンパロック３６ａとベース３０との係合が外れる。第一のスライダーアッシ３１と共にダンパベース３５がスライドし、第二のスライダーアッシ３２とダンパベース３５との間隔が縮まり、第二のリニアダンパ３３ｂが制動力を発生させる。すなわち、第一のスライダーアッシ３１がベース３０に対してスライドするとき、最初に第一のリニアダンパ３３ａが作動し、その後第二のリニアダンパ３３ｂが作動する。第二のスライダーアッシ３２がベース３０に対してスライドするとき、上記とは逆に最初に第二のリニアダンパ３３ｂが作動し、その後第二のリニアダンパ３３ａが作動する。
【００４２】
なお、本発明は上記実施形態に具現化されるのに限られることはなく、本発明の要旨を変更しない範囲で様々な実施形態に変更できる。
【００４３】
上記実施形態では、引戸を戸先及び戸尻の双方向に引き込むデュアルタイプのクローザの例を説明したが、引戸を戸先及び戸尻のいずれか一方向のみに引き込むシングルタイプのクローザを使用することもできる。上記実施形態のクローザの構造は一例であり、引戸を戸先及び戸尻の少なくとも一方向に引き込むことができれば、他の構造のクローザを使用することができる。
【００４４】
上記実施形態では、内側レールと外側レールとの境目を戸袋の戸先方向の端部に一致させているが、戸袋の戸先方向の端部からずらすこともできる。
【００４５】
上記実施形態では、外側レールにトリガ一体プレートを取り付けているが、内側レールを戸袋の外側に伸ばし、内側レールの戸袋の外側に伸ばした部分にトリガ一体プレートを取り付けることもできる。
【００４６】
上記実施形態では、内側レールと外側レールとを別体にしているが、内側レールと外側レールとを一体にすることもできる。
【００４７】
上記実施形態では、トリガ一体プレートをねじによってレールに取り付けているが、締結部材には、ねじの替わりにかしめ固定可能なリベット、かしめ固定可能なピン、部品に設けた凸部を突部の弾性を利用して受け手側の凹部にはめ込んで固定するスナップフィット、接着剤等を用いることができる。
【００４８】
本明細書は、２０１４年２月２８日出願の特願２０１４−０３８１９３に基づく。この内容はすべてここに含めておく。
【符号の説明】
【００４９】
１…引戸
２…戸袋
４…レール
４ａ…外側レール
４ｂ…内側レール
６…クローザ
７…戸先側のトリガ
８…戸尻側のトリガ
１０…トリガ一体プレート
１１…境目
１５…案内部
２１…締結部材
【図１】
0005952970.tif 000002
【図２】
0005952970.tif 000003
【図３】
0005952970.tif 000004
【図４】
0005952970.tif 000005
【図５】
0005952970.tif 000006
【図６】
0005952970.tif 000007
【図７】
0005952970.tif 000008
【図８】
0005952970.tif 000009
【図９】
0005952970.tif 000010
【図１０】
0005952970.tif 000011
【図１１】
0005952970.tif 000012
【図１２】
0005952970.tif 000013
【図１３】
0005952970.tif 000014